【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
作動流体が封入されたシリンダと、該シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構とを備え、
前記減衰力発生機構は、バルブブロックとソレノイドブロックとを含み、
前記バルブブロックは、
内部に弁室を有するボディと該ボディに取り付けられて前記弁室を形成するカバーとを備えたケース部材と、
前記ケース部材内に保持されて前記ケース部材内に形成されたシート部に離着座する弁体と、を有し、
前記ソレノイドブロックは、前記バルブブロックの前記ケース部材内に保持された前記弁体に対向する作動ロッドを有し、
前記バルブブロックは、前記バルブブロックと前記ソレノイドブロックとが結合される前の状態において、前記カバーが前記ボディに固定して取り付けられ、前記弁体が前記ケース部材となる前記カバーおよび前記ボディに一体に組み込まれたサブアセンブリとして構成され、
前記バルブブロックと前記ソレノイドブロックとは結合され、前記作動ロッドが前記弁体と係合していることを特徴とする緩衝器。
【請求項２】
作動流体が封入されたシリンダと、該シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構とを備え、
前記減衰力発生機構は、バルブブロックとソレノイドブロックとを含み、
前記バルブブロックは、
内部に弁室を形成する筒部を有するボディを備えたケース部材と、
前記ケース部材内に保持されて前記ケース部材内に形成されたシート部に離着座する弁体と、を有し、
前記ソレノイドブロックは、前記バルブブロックの前記ケース部材内に保持された前記弁体に対向する作動ロッドを有し、
前記バルブブロックは、前記ボディの前記筒部の外周にキャップが圧入、嵌合されて前記弁室内に前記弁体を設けたサブアッセンブリとして構成され、
前記バルブブロックと前記ソレノイドブロックとは結合され、前記作動ロッドが前記弁体と係合していることを特徴とする緩衝器。
【請求項３】
作動流体が封入されたシリンダと、該シリンダの周囲に設けられた外筒と、前記シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構と、を備え、
前記外筒には、前記減衰力発生機構を収納する筒状のケースが設けられ、
前記減衰力発生機構は、バルブブロックとソレノイドブロックとを含み、
前記バルブブロックは、
内部に弁室を有するボディと該ボディに取り付けられて前記弁室を形成するカバーとを備えたケース部材と、
前記ケース部材内に保持されて前記ケース部材内に形成されたシート部に離着座する弁体と、を有し、
前記ソレノイドブロックは、前記バルブブロックの前記ケース部材内に保持された前記弁体に対向する作動ロッドを有し、
前記作動ロッドが前記弁体と係合しており、前記バルブブロックと前記ソレノイドブロックとを一体に結合して、ソレノイドバルブサブアッセンブリを形成し、
該ソレノイドバルブサブアッセンブリは前記ケースに固定されていることを特徴とする緩衝器。
【請求項４】
前記ケース部材には、結合部材の一端部が結合され、前記結合部材の他端側に作動流体の流れを制御するディスクバルブが設けられていることを特徴とする請求項１乃至３のいずれか１項に記載の緩衝器。
【請求項５】
前記シリンダの周囲には外筒が設けられ、該外筒には、前記バルブブロックおよび前記ソレノイドブロックを収納する筒状のケースが設けられたことを特徴とする請求項１乃至４のいずれかに１項に記載の緩衝器。
【請求項６】
前記バルブブロックと前記ソレノイドブロックとの結合部を締結する締結部が設けられ、該締結部は、前記弁体の下流側に位置することを特徴とする請求項１乃至５のいずれか１項に記載の緩衝器。
【請求項７】
前記バルブブロックが挿入され、一端側が前記バルブブロックに係合し、他端側が前記ソレノイドブロックに前記締結部によって締結されて、前記バルブブロックに軸力を付与した状態で前記バルブブロックと前記ソレノイドブロックとを結合する締結部材が設けられていることを特徴とする請求項６に記載の緩衝器。
【請求項８】
前記減衰力発生機構は前記シリンダの側部に配置され、前記締結部材の一端側と前記バルブブロックの間には、前記シリンダ内と連通する連通部材の一側を配することを特徴とする請求項７に記載の緩衝器。
【請求項９】
前記バルブブロックの前記カバーは、前記ケース部材の前記ボディの外周に圧入、嵌合されるキャップによって前記ケース部材に固定されることを特徴とする請求項１または３に記載の緩衝器。
【請求項１０】
前記キャップは、円筒状の側壁の側壁を有し、該側壁に小径部と大径部とが円周方向に沿って交互に形成され、前記小径部が前記ケース部材の前記ボディの外周に嵌合し、前記大径部が前記ソレノイドブロックの内周に嵌合することを特徴とする請求項２または９に記載の緩衝器。
【手続補正２】
【補正対象書類名】明細書
【補正対象項目名】０００７
【補正方法】変更
【補正の内容】
【０００７】
上記の課題を解決するために、本発明に係る緩衝器は、作動流体が封入されたシリンダと、該シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構とを備え、
前記減衰力発生機構は、バルブブロックとソレノイドブロックとを含み、
前記バルブブロックは、
内部に弁室を有するボディと該ボディに取り付けられて前記弁室を形成するカバーとを備えたケース部材と、
前記ケース部材内に保持されて前記ケース部材内に形成されたシート部に離着座する弁体と、を有し、
前記ソレノイドブロックは、前記バルブブロックの前記ケース部材内に保持された前記弁体に対向する作動ロッドを有し、
前記バルブブロックは、前記バルブブロックと前記ソレノイドブロックとが結合される前の状態において、前記カバーが前記ボディに固定して取り付けられ、前記弁体が前記ケース部材となる前記カバーおよび前記ボディに一体に組み込まれたサブアセンブリとして構成され、
前記バルブブロックと前記ソレノイドブロックとは結合され、前記作動ロッドが前記弁体と係合していることを特徴とする。
また、本発明に係る緩衝器は、作動流体が封入されたシリンダと、該シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構とを備え、
前記減衰力発生機構は、バルブブロックとソレノイドブロックとを含み、
前記バルブブロックは、
内部に弁室を形成する筒部を有するボディを備えたケース部材と、
前記ケース部材内に保持されて前記ケース部材内に形成されたシート部に離着座する弁体と、を有し、
前記ソレノイドブロックは、前記バルブブロックの前記ケース部材内に保持された前記弁体に対向する作動ロッドを有し、
前記バルブブロックは、前記ボディの前記筒部の外周にキャップが圧入、嵌合されて前記弁室内に前記弁体を設けたサブアッセンブリとして構成され、
前記バルブブロックと前記ソレノイドブロックとは結合され、前記作動ロッドが前記弁体と係合していることを特徴とする。
さらに、本発明に係る緩衝器は、作動流体が封入されたシリンダと、該シリンダの周囲に設けられた外筒と、前記シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構と、を備え、
前記外筒には、前記減衰力発生機構を収納する筒状のケースが設けられ、
前記減衰力発生機構は、バルブブロックとソレノイドブロックとを含み、
前記バルブブロックは、
内部に弁室を有するボディと該ボディに取り付けられて前記弁室を形成するカバーとを備えたケース部材と、
前記ケース部材内に保持されて前記ケース部材内に形成されたシート部に離着座する弁体と、を有し、
前記ソレノイドブロックは、前記バルブブロックの前記ケース部材内に保持された前記弁体に対向する作動ロッドを有し、
前記作動ロッドが前記弁体と係合しており、前記バルブブロックと前記ソレノイドブロックとを一体に結合して、ソレノイドバルブサブアッセンブリを形成し、
該ソレノイドバルブサブアッセンブリは前記ケースに固定されていることを特徴とする。
【手続補正３】
【補正対象書類名】明細書
【補正対象項目名】００３５
【補正方法】変更
【補正の内容】
【００３５】
このようにして組み立てられたバルブブロック３０とソレノイドブロック３１とを結合する。すなわち、作動ロッド７６の先端部をパイロット弁部材５６に挿入し、パイロットボディ３７に取付けられたキャップ６８をソレノイドケース７１の円筒部７１Ａに嵌合する。このとき、作動ロッド７６及びパイロット弁部材５６には、テーパ部５６Ａ、７６Ａが設けられているので、作動ロッド７６をパイロット弁部材５６に容易に挿入することができる。また、最大公差があった場合であっても、これらのテーパ部５６Ａ、７６Ａにより自動調芯させることができる。このようして、バルブブロック３０とソレノイドブロック３１とが結合されたとき、パイロット弁部材５６と作動ロッド７６とが係合する。